(57)【要約】【課題】パンチによる穴あけに際し用紙の位置決めを迅速かつ正確に行うことのできる位置決め用ガイド等を提供する。【解決手段】パンチ１のガイド６は、ガイド基部６０と、側方規制片７０と、奥行規制片８０とを備えている。側方規制片７０は、ガイド基部６０の引出し側端部６１から上方に向け立設され、用紙１００の側方への移動を規制する。奥行規制片８０は、側方規制片７０の側方内側に立設され、用紙１００の奥行方向への移動を規制する。用紙１００の穴あけ位置に応じてガイド６をスライド移動させ、本体２に対するガイド６の位置を決定する。つぎに、ベース２０の載置面２１に用紙１００を載せ、用紙１００の後端縁を係止壁２３およびガイド６の奥行規制片８０の奥行当接面８１に当接させるとともに、用紙１００の側端縁をガイド６の側方規制片７０の側方当接面７１に当接させる。【選択図】  図４
2018202527.tif 000002
【特許請求の範囲】
【請求項１】
パンチによる穴あけに際し用紙の位置決めを行う位置決め用ガイドであって、
前記パンチの本体に対して側方にスライド可能に保持され、用紙の側方への移動を規制する側方規制片と、
前記側方規制片に結合され、用紙の奥行方向への移動を規制する奥行規制片と、
を備えたこと、
を特徴とする位置決め用ガイド。
【請求項２】
請求項１の位置決め用ガイドにおいて、
当該位置決め用ガイドは、前記パンチの本体に対して側方にスライド可能に保持されたガイド基部を備え、
前記側方規制片および奥行規制片は、前記ガイド基部の引出し側端部の近傍に設けられたこと、
を特徴とする位置決め用ガイド。
【請求項３】
請求項１ないし２のいずれかの位置決め用ガイドにおいて、
前記奥行規制片は、前記側方規制片に対して規制位置から非規制位置まで回動可能に保持されたこと、
を特徴とする位置決め用ガイド。
【請求項４】
請求項１ないし３のいずれかの位置決め用ガイドを備えたこと、
を特徴とするパンチ。
【請求項５】
請求項１ないし２のいずれかの位置決め用ガイドを備えたパンチであって、
前記パンチの本体に、前記奥行規制片を収容する奥行規制片収容部を設けたこと、
を特徴とするパンチ。
【発明の詳細な説明】
【技術分野】
【０００１】
この発明は、パンチによる穴あけに際し用紙の位置決めを行う位置決め用ガイドに関する。
【背景技術】
【０００２】
位置決め用のガイド（ゲージ）を備えたパンチ（たとえば特許文献１、特許文献２）が知られている。
【０００３】
特許文献１に記載されたパンチは、用紙受け面を備えたパンチ本体と、パンチ本体の用紙受け面にセットされた用紙に抜き刃を貫通させて該用紙に孔をあける穿孔機構と、パンチ本体に支持され用紙の左右方向の位置決めを行うためのガイドとを備えている。
【０００４】
このガイドは、一端部をパンチ本体に回転可能に支持させ、用紙の位置決めを行い得る位置、すなわち、パンチ本体から外側方に突出するガイド位置から、パンチ本体に沿うように配される退避位置までの間で回動し得るガイド本体と、ガイド本体に対して移動可能に設けられガイド位置において用紙の端部を案内するストッパとを備えている（特許文献１の［００３１］および図５参照）。
【０００５】
特許文献２に記載されたパンチは、ベースプレートの下面に装着された底面カバーを備えており、底面カバーの前部左右両側面のゲージ挿入口を結ぶゲージガイド溝が形成されている。ゲージガイド溝には、細長い板状のゲージが挿入されていて、ゲージを横方向へスライドさせることができる。ゲージの一端が直角に折曲げられており、用紙の縁を位置決めするときにこの直角折曲げ部に用紙の縁を当てる（特許文献２の［００１５］および［００１９］ならびに図１および図６参照）。
【０００６】
このように、パンチに位置決め用のガイド（ゲージ）を設け、ガイドのストッパ（ゲージの直角折曲げ部）に用紙の縁を当てることで、用紙の左右方向の位置決めを迅速に行うことができる。
【０００７】
一方、用紙の前後方向の位置決めに関して、たとえば、特許文献１に記載のパンチにおいては、パンチ本体の用紙受け面の奥端に一対の係止壁を設け、係止壁に用紙の端縁を当接させて奥行き方向への移動を禁止することで、用紙の前後方向の位置決めを行うようにしている（特許文献１の［００１８］および図７参照）。
【０００８】
さらに、この一対の係止壁に用紙の端縁を当接させることで、用紙受け面上における用紙の回転位置（回転角度）も位置決めすることができる。
【０００９】
しかし、一対の係止壁の間隔は、一対の抜き刃の間隔と同程度であって、用紙の左右方向の寸法に比較して小さい。このため、左右方向に長い用紙や、薄い用紙の場合、一対の係止壁によっては、用紙の回転位置の位置決めが正確にできず、一対の係止壁を結ぶ直線に対して、用紙の端縁が傾くおそれがある。すなわち、用紙受け面上における用紙の回転位置が、所期の位置からずれる可能性がある。これでは、用紙の位置決めを正確に行うことはできない。
【先行技術文献】
【特許文献】
【００１０】
【特許文献１】特開２０１５−２０２５８号公報
【特許文献２】特開２００６−１９８７２６号公報
【発明の概要】
【発明が解決しようとする課題】
【００１１】
この発明は、このような従来の問題を解決し、パンチによる穴あけに際し用紙の位置決めを迅速かつ正確に行うことのできる位置決め用ガイド等を提供することを目的とする。
【課題を解決するための手段】
【００１２】
この発明による位置決め用ガイドは、パンチによる穴あけに際し用紙の位置決めを行う位置決め用ガイドであって、パンチの本体に対して側方にスライド可能に保持され用紙の側方への移動を規制する側方規制片と、側方規制片に結合され用紙の奥行方向への移動を規制する奥行規制片とを備えたこと、を特徴とする。
【００１３】
本発明の特徴は、上記のように広く示すことができるが、その構成や内容は、目的および特徴とともに、図面を考慮に入れた上で、以下の開示によりさらに明らかになるであろう。
【発明の効果】
【００１４】
本願の第１発明による位置決め用ガイドは、パンチによる穴あけに際し用紙の位置決めを行う位置決め用ガイドであって、パンチの本体に対して側方にスライド可能に保持され用紙の側方への移動を規制する側方規制片と、側方規制片に結合され用紙の奥行方向への移動を規制する奥行規制片とを備えたこと、を特徴とする。
【００１５】
したがって、側方規制片に近接した位置に配置された奥行規制片によって、用紙の幅寸法にかかわらず、用紙の側端縁近傍において後端縁の奥行方向への移動を禁止することができる。この結果、パンチの本体に備えられた係止壁と協同して、長いスパンで用紙の後端縁をガイドすることができる。このため、載置面上における用紙の回転位置を、正確に位置決めすることができる。
【００１６】
また、用紙の後端縁を係止壁に当接させつつ、用紙の後端の一つの角部（例えば左後角）近傍を側方規制片および奥行規制片に当接させるだけで、載置面上における用紙の左右方向、前後方向および回転位置の位置決めを、迅速に行うことができる。
【００１７】
すなわち、この位置決め用ガイドによれば、パンチによる穴あけに際し用紙の位置決めを迅速かつ正確に行うことができる。
【００１８】
本願の第２発明による位置決め用ガイドは、本願の第１発明による位置決め用ガイドにおいて、当該位置決め用ガイドはパンチの本体に対して側方にスライド可能に保持されたガイド基部を備え、側方規制片および奥行規制片はガイド基部の引出し側端部の近傍に設けられたこと、を特徴とする。
【００１９】
したがって、パンチの本体に対して側方にスライド可能に保持されたガイド基部とガイド基部の引出し側端部に立設された側方規制片を有する従来の位置決め用ガイドに替えて、この発明による位置決め用ガイドを用いることで、穴あけに際し用紙の位置決めを迅速かつ正確に行うことができ、かつ、位置決め用ガイドを使用しないときは、コンパクトに本体内に収納することが可能なパンチを実現することができる。
【００２０】
本願の第３発明による位置決め用ガイドは、本願の第１ないし第２のいずれかの発明による位置決め用ガイドにおいて、奥行規制片は、側方規制片に対して規制位置から非規制位置まで回動可能に保持されたこと、を特徴とする。
【００２１】
したがって、奥行規制片を非規制位置まで回動させておけば、側方規制片側において用紙の後端縁の奥行方向への移動を許容することができる。このため、用紙の側端縁の位置を規制しつつ、後端縁に対してパンチ穴列を傾けてあけたい場合にも、対応することができる。
【００２２】
また、位置決め用ガイドを本体に収納等する際に、奥行規制片を非規制位置まで回動させることで奥行規制片と本体の干渉を回避することが可能となる。この結果、本体の構造を変更することなく、よりコンパクトに位置決め用ガイドを本体に収納等することが可能となる。
【００２３】
本願の第４発明によるパンチは、本願の第１ないし第３のいずれかの発明による位置決め用ガイドを備えたこと、を特徴とする。
【００２４】
したがって、本願の第１ないし第３のいずれかの発明による位置決め用ガイドをパンチに設けることで、本願の第１ないし第３のいずれかの発明と同様の効果を奏することができる。
【００２５】
本願の第５発明によるパンチは、本願の第１ないし第２のいずれかの発明による位置決め用ガイドを備えたパンチであって、パンチの本体に奥行規制片を収容する奥行規制片収容部を設けたこと、を特徴とする。
【００２６】
パンチの本体に奥行規制片を収容する奥行規制片収容部を設けることで、位置決め用ガイドを本体に収納等する際に、奥行規制片と本体の干渉を回避することができる。
【００２７】
すなわち、単純な構造の位置決め用ガイドでありながら、よりコンパクトに位置決め用ガイドを本体に収納等することが可能となる。
【図面の簡単な説明】
【００２８】
【図１】図１は、この発明の一実施形態による位置決め用ガイド６を備えたパンチ１を示す斜視図である。
【図２】図２は、パンチ１の底面図である。
【図３】図３は、ガイド６を除いたパンチ１の左側面図である。
【図４】図４は、フレーム３０より上部を除いたパンチ１の平面図である。
【図５】図５Ａおよび図５Ｂは、この発明の他の実施形態によるガイド１０６の構成を示す部分平面図である。
【図６】図６Ａは、ガイド１０６の構成を示す左側面図である。図６Ｂは、ガイド１０６を装着したパンチ１０１の構成を示す部分底面図である。
【発明を実施するための形態】
【００２９】
図１は、この発明の一実施形態による位置決め用ガイド６を備えたパンチ１を示す斜視図である。まず、パンチ１の基本構成について説明する。
【００３０】
図１に示すように、パンチ１は、パンチの本体（以下、単に「本体」ということがある。）２と、穿孔機構５と、位置決め用ガイド（以下、単に「ガイド」ということがある。）６とを備えている。
【００３１】
本体２は、金属製のベース２０と、ベース２０の上面（図中Ｚ１側の面）に取り付けられた左右（図中Ｘ方向）一対の金属製のフレーム３０と、ベース２０の下面（図中Ｚ２側の面）に着脱可能に装着された樹脂製の底蓋４０と、を備えている。
【００３２】
穿孔機構５は、手動による穿孔操作を行うための金属製のハンドル５０と、ハンドル５０が押し下げ操作されることによって上下方向（図中Ｚ方向）に進退する丸ピン形の金属製のパンチ刃５３（図３参照）と、を備えている。
【００３３】
ガイド６については、後述する。
【００３４】
図４は、フレーム３０より上部を除いたパンチ１の平面図である。
【００３５】
ベース２０の上面の前方より（図中Ｙ２より）の略中央部分が、用紙１００を載置するための水平面（図中ＸＹ平面）である載置面２１として用いられ、載置面２１の所定位置に左右一対のダイ穴２２が形成されている。載置面２１の後端部（図中Ｙ１方向の端部）に、用紙１００の後端縁（図中Ｙ１方向の端縁）を当接させて奥行き方向（図中Ｙ１方向）への移動を禁止するための壁である係止壁２３が設けられている。係止壁２３は、ベース２０の一部を絞りプレス加工することにより形成されている。また、載置面２１の後端部には、一対のダイ穴２２の中央を示すセンタ指標２４が設けられている。
【００３６】
図３は、ガイド６を除いたパンチ１の左側面図である。なお、ガイド６は二点鎖線で示されている。
【００３７】
フレーム３０の前方（図中Ｙ２方向）部分には刃ガイド穴（図示せず）が形成されている。刃ガイド穴はベース２０のダイ穴２２と対向する位置に配置されている。刃ガイド穴にはパンチ刃５３が上下動可能に保持されている。パンチ刃５３の上部は、横方向（図１におけるＸ方向）のパンチ刃支持ピン５１を介して、ハンドル５０の前方部分に回動可能に連結されている。
【００３８】
ハンドル５０は、ハンドル支持ピン５２を介して、フレーム３０の前端に回動可能に連結されている。
【００３９】
底蓋４０は、ベース２０の下面全体を覆うように受け皿状に形成されている。
【００４０】
ベース２０の載置面２１に用紙１００（図４参照）を載せ、ハンドル５０を押下げ操作することにより、ハンドル５０に連結したパンチ刃５３が下降して用紙１００に穴があけられる。パンチ刃の下端部はベース２０のダイ穴２２（図４参照）を貫通し、パンチ刃５３により打抜かれた紙屑は底蓋４０内に落下する。
【００４１】
図１に示すように、ガイド６は、パンチ１による穴あけに際し用紙１００の位置決めを行うために用いられ、ガイド基部６０と、側方規制片７０と、奥行規制片８０と、を備えている。
【００４２】
ガイド６の材質はとくに限定されるものではないが、この例では、樹脂により構成されている。ガイド基部６０の形状はとくに限定されるものではないが、この例では、短冊状（細長い矩形の薄板状）に形成されている。
【００４３】
図２は、パンチ１の底面図である。
【００４４】
図２および図３に示すように、底蓋４０には、ガイド基部６０を案内するための案内溝４１が設けられている。案内溝４１は底蓋４０の前方部分（図中Ｙ２方向の部分）の裏側（図中Ｚ２側）に、左右方向に延びるよう形成されている。案内溝４１の一端（図中Ｘ２方向端）は解放され、ガイド基部６０を挿入するためのガイド挿入口４２が形成されている。案内溝４１の内部に、ガイド基部６０が側方（左右方向）にスライド可能に保持されている。
【００４５】
ガイド６は、案内溝４１からの引出し量を調整することにより、各種の定型用紙の幅寸法、例えばＡ４横（Ａ３縦）、Ｂ５横（Ｂ４縦）、Ａ５横（Ａ４縦）、Ｂ６横（Ｂ５縦）、Ａ６横（Ａ５縦）等の幅寸法に応じて穴あけ位置を決定する機能、すなわちクリック位置決め機能を有している。
【００４６】
このクリック位置決め機能はとくに限定されるものではないが、この例では、底蓋４０に設けた複数の位置決め用穴４３のいずれかと、ガイド基部６０の上面に設けた位置決め用凸部６３とが係合することで、穴あけ位置を決定するようにしている。
【００４７】
図４に示すように、ガイド基部６０の上面には、各穴あけ位置を示す穴位置指標６４と、穴位置指標６４に対応する用紙１００のサイズ記号６５とが記載されている。
【００４８】
このようにして決定された位置において穴あけをすることで、定型用紙の幅寸法の中央に左右一対の穴をあけることができる。もっとも、ガイド６は、クリック位置決め機能により決定される位置以外の位置においても、案内溝４１との間の摩擦力により、位置決めすることが可能となっている。
【００４９】
図１に示すように、側方規制片７０は、ガイド基部６０の引出し側端部６１から上方に向け立設され、用紙１００の側方への移動を規制する。側方規制片７０の形状はとくに限定されるものではないが、この例においては、略直方体状に形成されている。側方規制片７０は、略矩形平面状の側方当接面７１を備えており、側方当接面７１の上辺７２の位置が載置面２１より高くなるよう構成されている（図３参照）。
【００５０】
奥行規制片８０は、ガイド基部６０の引出し側端部６１の近傍、すなわち、側方規制片７０の側方内側（図中Ｘ１側）に立設され、用紙１００の奥行方向への移動を規制する。すなわち、奥行規制片８０は、側方規制片７０の側方内側におけるガイド基部６０の後端から後方（図中Ｙ１方向）に延設された矩形または台形の薄板状の規制片連結部８３の後端に立設されている。したがって、奥行規制片８０は、ガイド基部６０および規制片連結部８３を介して、間接的に、側方規制片７０に結合されている。
【００５１】
奥行規制片８０の形状はとくに限定されるものではないが、この例においては、短冊状に形成されている。奥行規制片８０は、略矩形平面状の奥行当接面８１を備えており、奥行当接面８１の上辺８２の位置が載置面２１より高くなるよう構成されている（図３参照）。
【００５２】
図４に示すように、奥行当接面８１は、側方当接面７１と直交するよう構成されている。また、奥行当接面８１は、ベース２０の一対の係止壁２３と面一になるよう構成されている。
【００５３】
図３および図４に示すように、ベース２０および底蓋４０の一側面側（図中Ｘ２側）に、奥行規制片収容部９０が設けられている。
【００５４】
奥行規制片収容部９０は、ベース２０および底蓋４０の一側面から内側（図中Ｘ１方向側）に向けて設けられた凹部であって、ガイド６を本体２に対して最右端（図中Ｘ１方向端）までスライド移動させたとき（ガイド６の収納状態のとき、すなわち、図２および図４に二点鎖線で示す状態のとき）に、奥行規制片８０（この例では、奥行規制片８０および規制片連結部８３。以下同様。）の一部または全体を収容するよう構成されている。もっとも、奥行規制片収容部９０を設けないよう構成することもできる。
【００５５】
つぎに、図４を参照しつつ、ガイド６を用いて用紙１００の位置決めを行う手順について説明する。
【００５６】
まず、用紙１００の穴あけ位置に応じてガイド６をスライド移動させ、本体２に対するガイド６の位置（図中Ｘ方向の位置）を決定する。この場合、定型用紙の幅寸法（例えばＡ４横）の中央に左右一対の穴をあける場合には、上述のクリック位置決め機能を用いることができる。
【００５７】
つぎに、ベース２０の載置面２１に用紙１００を載せ、用紙１００の後端縁を係止壁２３およびガイド６の奥行規制片８０の奥行当接面８１に当接させるとともに、用紙１００の側端縁（左端縁）をガイド６の側方規制片７０の側方当接面７１に当接させる。
【００５８】
これにより、パンチ１による穴あけに際し用紙１００の位置決めを迅速かつ正確に行うことができる。
【００５９】
つぎに、この発明の他の実施形態による位置決め用ガイド１０６を備えたパンチ１０１について説明する。図５Ａは、ガイド１０６の構成を示す部分平面図であって、奥行規制片１８０が規制位置にある状態を表している。図５Ｂは、ガイド１０６の構成を示す部分平面図であって、奥行規制片１８０が非規制位置にある状態を表している。
【００６０】
図６Ａは、ガイド１０６の構成を示す左側面図であって、奥行規制片１８０が非規制位置にある状態を表している。
【００６１】
図６Ｂは、ガイド１０６を装着したパンチ１０１の構成を示す部分底面図であって、奥行規制片１８０が規制位置にある状態を表している。同図において、ガイド１０６を本体２に収納した状態を、二点鎖線で表している。
【００６２】
図５Ａおよび図６Ｂに示すように、ガイド１０６は、ガイド基部１６０と、側方規制片１７０と、奥行規制片１８０と、を備えている。ガイド基部１６０は、上述のガイド基部６０と同様の構成であり、パンチ１０１の底蓋１４０の案内溝１４１の内部に、側方（左右方向）にスライド可能に保持されている。側方規制片１７０も、上述の側方規制片７０と同様の構成であり、ガイド基部１６０の引出し側端部１６１から上方に向け立設され、側方当接面１７１を備えている。
【００６３】
図５Ａおよび図５Ｂに示すように、奥行規制片１８０は、ヒンジ部１８４を介して、側方規制片１７０に対して規制位置から非規制位置まで図中Ｒ方向に回動可能に保持されている点で、上述の奥行規制片８０と異なる。
【００６４】
図５Ａおよび図６Ａに示すように、ヒンジ部１８４は、側方規制片１７０の後端から後方（図中Ｙ１方向）に延設された規制片連結部１８３の後端に配置され、上下方向（図中Ｚ方向）の軸線を有する回動軸を持つ。規制片連結部１８３の上端１８３ａの位置は、奥行規制片１８０の下端１８０ａの位置より高くならないよう構成されている。
【００６５】
ヒンジ部１８４は、規制片連結部１８３に固着された筒部１８５の円筒状内面に、奥行規制片１８０に固着された円柱状の芯部１８６を、摩擦力を付与しつつ、回動可能に保持するよう構成されている。筒部１８５の上端の一部を切り欠くことにより形成されたストッパ１８７、１８８により、奥行規制片１８０の回動範囲は制限されている。
【００６６】
図５Ａに示すように、奥行規制片１８０が図中Ｒ１方向の回動端にある状態（ストッパ１８７により、それ以上のＲ１方向への回動が阻止されている状態）が、奥行規制片１８０の規制位置である。規制位置において、奥行規制片１８０の奥行当接面１８１は、側方当接面１７１と直交するよう構成されている。また、このとき、奥行当接面１８１は、図４に示すベース２０の一対の係止壁２３と面一になるよう構成されている。
【００６７】
他方、図５Ｂに示すように、奥行規制片１８０が図中Ｒ２方向の回動端にある状態（ストッパ１８８により、それ以上のＲ２方向への回動が阻止されている状態）が、奥行規制片１８０の非規制位置である。非規制位置において、奥行規制片１８０の奥行当接面１８１は、側方当接面１７１と略平行になるよう構成されている。また、このとき、奥行当接面１８１は、側方当接面１７１と面一または、側方外側（図中Ｘ２側）に位置するよう構成されている。
【００６８】
図５Ａおよび図６Ａに示すように、側方規制片１７０の側方当接面１７１の上辺１７２および奥行規制片１８０の奥行当接面１８１の上辺１８２の位置が、載置面２１より高くなるよう構成されている。また、奥行規制片１８０の下端１８０ａの位置が載置面２１より低くなるよう構成されている。このため、図５Ａに示す規制位置において、奥行規制片１８０の奥行当接面１８１は、用紙１００の側端縁近傍において後端縁の奥行方向への移動を禁止することができる。すなわち、非規制位置においては、用紙１００の後端縁の奥行方向への移動が禁止される。
【００６９】
一方、ヒンジ部１８４の筒部１８５の上端１８５ａの位置が、載置面２１より高くならないよう構成されている。また、芯部１８６の外径が側方規制片１７０の側方当接面１７１より側方内側（図中Ｘ１側）に来ないよう構成されている。このため、図５Ｂに示す非規制位置においては、奥行規制片１８０、筒部１８５および芯部１８６によって、用紙１００の後端縁の奥行方向への移動が禁止されることはない。すなわち、非規制位置においては、用紙１００の後端縁の奥行方向への移動が許容される。
【００７０】
したがって、奥行規制片１８０を非規制位置にすることで、図５Ｂに示すように、側方規制片１７０の側方当接面１７１によって用紙１００の側端縁の位置を規制しつつ、用紙１００の後端縁に対してパンチ穴列を傾けてあけたい場合にも、対応することができる。
【００７１】
また、ガイド１０６を本体２に収納する際に、図６Ｂに二点鎖線で示すように、奥行規制片１８０を非規制位置まで回動させておくことで、奥行規制片１８０と本体２の干渉を回避することが可能となる。このため、本体２に奥行規制片収容部９０（図２、図３参照）を設けなくても、奥行規制片１８０を備えたガイド１０６を、本体２にコンパクトに収納することが可能となる。
【００７２】
パンチ１０１のその余の構成は、上述のパンチ１のそれと同様である。
【００７３】
なお、上述の各実施形態においては、パンチの本体に対して側方にスライド可能に保持されたガイド基部を備えた位置決め用ガイドを例に説明したが、この発明はこれに限定されるものではない。たとえば、特許文献１に示されるような、一端部をパンチの本体に回転可能に支持させ、ガイド位置から退避位置までの間で回動し得るガイド本体を備えた位置決め用ガイドにも、この発明を適用することができる。
【００７４】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。また、上記においては、本発明のいくつかの典型的な実施形態についてのみ詳細に記述したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【符号の説明】
【００７５】
１：パンチ
２：本体
６：ガイド
２０：ベース
２１：載置面
２３：係止壁
６０：ガイド基部
６１：引出し側端部
７０：側方規制片
７１：側方当接面
８０：奥行規制片
８１：奥行当接面
１００：用紙１００
【図１】
2018202527.tif 000003
【図２】
2018202527.tif 000004
【図３】
2018202527.tif 000005
【図４】
2018202527.tif 000006
【図５】
2018202527.tif 000007
【図６】
2018202527.tif 000008